(57)【要約】【課題】前面板に設けられた開口部に対して簡単かつ適切に配置できる平面スイッチを提供することを目的とする。【解決手段】本発明の平面スイッチは、前面板Ｗに設けられた開口部に設置される平面スイッチであって、開口部に取り付けられ、開口部の第１開口と略同形状の第２開口を有するスイッチボックス１００と、スイッチボックス１００に取り付けられるフレーム部２０と、フレーム部２０に取り付けられるとともにスイッチボックス１００に収容されるセンサユニットと、を備え、フレーム部２０は、全体が略コ字状である。【選択図】          図４
2018060661.tif 000002
【特許請求の範囲】
【請求項１】
前面板に設けられた開口部に設置される平面スイッチであって、
前記開口部に取り付けられ、前記開口部の第１開口と略同形状の第２開口を有するスイッチボックスと、
前記スイッチボックスに取り付けられるフレーム部と、
前記フレーム部に取り付けられるとともに前記スイッチボックスに収容されるセンサユニットと、を備え、
前記フレーム部は、全体が略コ字状である
ことを特徴とする平面スイッチ。
【請求項２】
前記フレーム部は、前記スイッチボックスに固定される第１枠片及び第２枠片と、前記第１枠片と前記第２枠片とを連結する連結片と、を有し、
前記第１枠片及び前記第２枠片は、前記連結片に篏合固定される篏合固定部と、
前記スイッチボックスに固定するためのスイッチボックス固定部と、を有する
ことを特徴とする請求項１に記載の平面スイッチ。
【請求項３】
前記センサユニットは、センサユニット本体と、前記センサユニット本体の裏側に固定される付勢部と、を有し、
前記第１枠片及び第２枠片は、前記開口部に対する前記センサユニットの位置を調節自在に、前記センサユニットを前記付勢部の付勢力に抗して係留する係留部と、を有する
ことを特徴とする請求項２に記載の平面スイッチ。
【請求項４】
前記付勢部は、前記センサユニット本体に固定される固定部と、前記固定部の両端に設けられた弾性部と、を備える板バネである
ことを特徴とする請求項３に記載の平面スイッチ。
【請求項５】
前記係留部は、
位置決めネジと、
前記第１枠片及び第２枠片に設けられ、前記位置決めネジが螺合される位置決めネジ孔と、を備え、
前記センサユニットには、前記位置決めネジを通す位置決めネジ挿通孔が前記位置決めネジ孔に対応する位置に設けられており、
前記センサユニットの前記開口部に対する位置が、前記位置決めネジの前記位置決めネジ孔に対する螺合量で調節される
ことを特徴とする請求項３又は請求項４に記載の平面スイッチ。
【請求項６】
前記センサユニットは、
センサケースと、
前記センサケース内に収容される表示板と、
前記センサケース内に収容され、静電容量センサが設けられた制御モジュールと、を備え、
前記センサケースは、表側に設けられたトップケースと、前記トップケースの裏側に係合するボトムケースと、を有する
ことを特徴とする請求項１から請求項５のいずれか１項に記載の平面スイッチ。
【請求項７】
前記トップケースは、前記ボトムケースと係合する係合部を有し、
前記ボトムケースは、前記係合部が係合する被係合部を有する
ことを特徴とする請求項６に記載の平面スイッチ。
【請求項８】
前記係合部は、前記トップケースの一方に設けられたボス部と、前記トップケースの他方に設けられた係合爪とを有し、
前記被係合部は、前記ボトムケースの一方であって前記ボス部に対応する位置に設けられて、前記ボス部に係合される第１段部と、前記ボトムケースの他方であって前記係合爪に対応する位置に設けられて、前記係合爪に係合される第２段部と、を有する
ことを特徴とする請求項７に記載の平面スイッチ。
【請求項９】
前記係合部は、係合表側面と係合裏側面とを含み、
前記被係合部は、被係合表側面と被係合裏側面とを含み、
前記係合表側面と前記係合裏側面との間で、前記被係合表側面と前記被係合裏側面との間を挟むようにして、前記係合部が前記被係合部と係合する
ことを特徴とする請求項７又は請求項８に記載の平面スイッチ。
【請求項１０】
前記被係合表側面は、前記ボトムケースの最も表側の端面とは別に設けられる
ことを特徴とする請求項９に記載の平面スイッチ。
【請求項１１】
前記ボトムケースの表側周縁は、前記開口部とトップケースとの間に介在し、前記トップケースの外周縁を覆うことを特徴とする請求項６から請求項１０のいずれか１項に記載の平面スイッチ。
【請求項１２】
前記制御モジュールは、発光素子と、前記発光素子からの反射光を受光する受光素子と、前記発光素子を囲むように配置され、前記発光素子から前記センサケースの内部を通って前記受光素子に至る光を遮る筒状部材と、を備える
ことを特徴とする請求項６から請求項１１のいずれか１項に記載の平面スイッチ。
【発明の詳細な説明】
【技術分野】
【０００１】
本発明は、平面スイッチに関するものである。
【背景技術】
【０００２】
壁に埋め込まれた状態で取り付けて使用するとともに、壁から取外してリモコンとしても使用可能な照明用スイッチが知られている（特許文献１参照）。
特許文献１の照明用スイッチでは、静電容量センサを用いてスイッチを構成しているのでスイッチ部分が平面である。
【先行技術文献】
【特許文献】
【０００３】
【特許文献１】特開２０１２−０５９５８０号公報
【発明の概要】
【発明が解決しようとする課題】
【０００４】
特許文献１のような静電容量センサを用いたスイッチの場合、スイッチ面を平坦に構成できるので、例えば、建物の前面板（外壁や内壁等において、最も表側にあり、ユーザの目に触れる体裁面を有する板）に設置する場合、スイッチ面を前面板と面一（例えば、スイッチ面と前面板の体裁面が同一平面状）になるように設置できれば、スイッチ面が突出しないため、部屋等の美観を高めることが可能である。
しかしながら、建物の前面板の裏側には少し離れた位置に構造体が存在し、建物の前面板とその構造体との間の距離寸法は建物ごとに様々であるため、スイッチ面が平坦であったとしても、スイッチを前面板の裏側にある構造体に取り付けたときに、必ずしも、スイッチ面が前面板の体裁面と面一になるとは言えない。
このように、スイッチ面が前面板から突出しないように設置することは、スイッチ面が平坦であったとしても、簡単に行えるものではないという問題がある。
したがって、例えば、スイッチ面を、開口部が設けられた前面板の体裁面とほぼ面一にするといったように、開口部に対して適切に配置できる平面スイッチの出現が望まれる。
本発明は、上記事情に鑑みてなされたものであり、開口部に埋め込まれる平面スイッチであって、前面板に設けられた開口部に対して簡単かつ適切に配置できる平面スイッチを提供することを目的とする。
【課題を解決するための手段】
【０００５】
上記目的を達成するために、以下の構成によって把握される。
（１）本発明の平面スイッチは、前面板に設けられた開口部に設置される平面スイッチであって、前記開口部に取り付けられ、前記開口部の第１開口と略同形状の第２開口を有するスイッチボックスと、前記スイッチボックスに取り付けられるフレーム部と、前記フレーム部に取り付けられるとともに前記スイッチボックスに収容されるセンサユニットと、を備え、前記フレーム部は、全体が略コ字状である。
【０００６】
（２）上記（１）の構成において、前記フレーム部は、前記スイッチボックスに固定される第１枠片及び第２枠片と、前記第１枠片と前記第２枠片とを連結する連結片と、を有し、前記第１枠片及び前記第２枠片は、前記連結片に篏合固定される篏合固定部と、前記スイッチボックスに固定するためのスイッチボックス固定部と、を有する。
【０００７】
（３）上記（２）の構成において、前記センサユニットは、センサユニット本体と、前記センサユニット本体の裏側に固定される付勢部と、を有し、前記第１枠片及び第２枠片は、前記開口部に対する前記センサユニットの位置を調節自在に、前記センサユニットを前記付勢部の付勢力に抗して係留する係留部と、を有する。
【０００８】
（４）上記（３）の構成において、前記付勢部は、前記センサユニット本体に固定される固定部と、前記固定部の両端に設けられた弾性部と、を備える板バネである。
【０００９】
（５）上記（３）又は（４）の構成において、前記係留部は、位置決めネジと、前記第１枠片及び第２枠片に設けられ、前記位置決めネジが螺合される位置決めネジ孔と、を備え、前記センサユニットには、前記位置決めネジを通す位置決めネジ挿通孔が前記位置決めネジ孔に対応する位置に設けられており、前記センサユニットの前記開口部に対する位置が、前記位置決めネジの前記位置決めネジ孔に対する螺合量で調節される。
【００１０】
（６）上記（１）から（５）のいずれかの構成において、前記センサユニットは、センサケースと、前記センサケース内に収容される表示板と、前記センサケース内に収容され、静電容量センサが設けられた制御モジュールと、を備え、前記センサケースは、表側に設けられたトップケースと、前記トップケースの裏側に係合するボトムケースと、を有する。
【００１１】
（７）上記（６）の構成において、前記トップケースは、前記ボトムケースと係合する係合部を有し、前記ボトムケースは、前記係合部が係合する被係合部を有する。
【００１２】
（８）上記（７）の構成において、前記係合部は、前記トップケースの一方に設けられたボス部と、前記トップケースの他方に設けられた係合爪とを有し、前記被係合部は、前記ボトムケースの一方であって前記ボス部に対応する位置に設けられて、前記ボス部に係合される第１段部と、前記ボトムケースの他方であって前記係合爪に対応する位置に設けられて、前記係合爪に係合される第２段部と、を有する。
【００１３】
（９）上記（７）又は（８）の構成において、前記係合部は、係合表側面と係合裏側面とを含み、前記被係合部は、被係合表側面と被係合裏側面とを含み、前記係合表側面と前記係合裏側面との間で、前記被係合表側面と前記被係合裏側面との間を挟むようにして、前記係合部が前記被係合部と係合する。
【００１４】
（１０）上記（９）の構成において、前記被係合表側面は、前記ボトムケースの最も表側の端面とは別に設けられる。
【００１５】
（１１）上記（６）から（１０）のいずれかの構成において、前記ボトムケースの表側周縁は、前記開口部とトップケースとの間に介在し、前記トップケースの外周縁を覆う。
【００１６】
（１２）上記（６）から（１１）のいずれかの構成において、前記制御モジュールは、発光素子と、前記発光素子からの反射光を受光する受光素子と、前記発光素子を囲むように配置され、前記発光素子から前記センサケースの内部を通って前記受光素子に至る光を遮る筒状部材と、を備える。
【発明の効果】
【００１７】
本発明によれば、前面板に設けられた開口部に対して簡単かつ適切に配置できる平面スイッチを提供できる。
【図面の簡単な説明】
【００１８】
【図１】平面スイッチが部屋等の壁内に埋め込まれて設置されている状態を示す斜視図である。
【図２】カバーが省略された平面スイッチを示す斜視図である。
【図３】前面板の裏側に取り付けられたスイッチボックスの斜視図である。
【図４】フレーム部を示す斜視図である。
【図５】フレーム部を拡大して示す斜視図である。
【図６】フレーム部の一部を分解して示す斜視図である。
【図７】第１実施形態におけるセンサユニットを表側から見た斜視図である。
【図８】（ａ）は第１実施形態におけるセンサユニットを裏側から見た斜視図であり、（ｂ）は第１実施形態におけるセンサユニットに付勢部を装着する状況の説明図である。
【図９】第１実施形態におけるセンサユニットを分解して示す斜視図である。
【図１０】（ａ）及び（ｂ）は静電容量センサの電気力線の変化を示す説明図である。
【図１１】（ａ）は、図７におけるＦ矢視詳細図であり、（ｂ）は（ａ）におけるＡ矢視断面図であり、（ｃ）は（ａ）におけるＢ矢視断面図である。
【図１２】（ａ）は、図７におけるＧ矢視詳細図であり、（ｂ）は（ａ）におけるＣ矢視断面図であり、（ｃ）は（ａ）におけるＤ矢視断面図である。
【図１３】カバーを示す斜視図である。
【図１４】カバーを分解して示す斜視図である。
【図１５】センサユニットの斜視図である。
【図１６】図１５におけるＡ矢視断面図である。
【図１７】第２実施形態におけるセンサユニットを表側から見た斜視図である。
【図１８】第２実施形態におけるセンサユニットを裏側から見た斜視図である。
【図１９】（ａ）は図１７におけるＫ矢視詳細図であり、（ｂ）は（ａ）におけるＡ矢視断面図であり、（ｃ）は（ａ）におけるＢ矢視断面図である。
【図２０】（ａ）は図１７におけるＬ矢視詳細図であり、（ｂ）は（ａ）におけるＣ矢視断面図であり、（ｃ）は（ａ）におけるＤ矢視断面図である。
【図２１】スイッチボックスを設置する説明図である。
【図２２】フレーム部を設置する説明図である。
【図２３】センサユニットを設置する説明図である。
【図２４】センサユニットを位置調節する説明図である。
【図２５】カバーを設置する説明図である。
【図２６】平面スイッチが設置された前面板の斜視図である。
【発明を実施するための形態】
【００１９】
（第１実施形態）
以下、図面を参照して本発明を実施するための形態（以下、第１実施形態）について詳細に説明する。なお、実施形態の説明の全体を通して同じ要素には同じ番号を付している。また、以下では、特に説明がない限り、平面スイッチ１が視認できる側を手前側又は表側とし、その反対側を奥側又は裏側とする。
【００２０】
図１は本発明に係る第１実施形態の平面スイッチ１が部屋等の壁内に埋め込まれて設置されている状態を示す斜視図である。
図１に示すように、平面スイッチ１は、例えば、照明装置の調光や調色等の操作を行うためのスイッチであり、図示しないスイッチ操作のための各部品や前面板Ｗ（体裁面を伴う部屋等の壁）に設けられた開口部２が見えないようするために、開口部２を覆うように設けられるカバー１０を備える。
【００２１】
なお、本実施形態に係る平面スイッチ１は、前面板Ｗが部屋等の壁に埋め込まれて設置されているが、平面スイッチ１の設置場所は、鉛直面に限らず、机の表側面等であってもよい。また、平面スイッチ１の操作の対象とする機器類は、照明装置に限らず、空調設備、家電製品、シャッター又はカーテン等、スイッチ操作を伴うものであればよい。
【００２２】
図２はカバー１０が省略された平面スイッチ１を示す斜視図である。
図２に示すように、平面スイッチ１は、前面板Ｗに設けられた開口部２に設置されるものであり、開口部２に取り付けられ、開口部２の第１開口２ａと略同形状の第２開口１００ａを有するスイッチボックス１００（不図示）と、スイッチボックス１００に取り付けられ、全体が略コ字状のフレーム部２０（不図示）と、フレーム部２０に取り付けられるとともにスイッチボックス１００に収容されるセンサユニット３０と、を備える。
【００２３】
図２に示すように、開口部２は、部屋等の壁において、体裁面を伴う最も前面を構成する前面板Ｗに設けられ、縦長の矩形状であり、センサユニット３０の外形状に合わせて、センサユニット３０が収容される形状となっている。
以下、スイッチボックス１００、フレーム部２０、センサユニット３０及びカバー１０を、前面板Ｗに対して取り付ける順番に沿って説明する。
【００２４】
（スイッチボックス）
図３は、前面板Ｗの裏側に取り付けられたスイッチボックス１００の斜視図である。
図３に示すように、スイッチボックス１００は壁面に埋め込んで使用するボックスであり、配線と器具の取り出し線との接合や、他のボックスへの配線の接続等を行うものであり、一般に市販されているＪＩＳの規格に沿ったものである。したがって、リフォーム等において、前面板Ｗに対して既に設けられているスイッチに換えて、本実施形態の平面スイッチ１を取り付ける場合には、スイッチを収容するスイッチボックス１００があらかじめ前面板Ｗの裏側に設置されている場合があり、その場合には、このスイッチボックス１００を利用できる。スイッチボックス１００は、前面板Ｗの裏側に対して適宜の手段で取り付けることが可能となっている。
【００２５】
スイッチボックス１００は、表側に第２開口１００ａを有し、前面板Ｗの第１開口２ａと略同じ形状となっている。また、スイッチボックス１００の内部には、２ヵ所の固定部１００ｆが互いに離間して設けられている。なお、スイッチボックス１００は、必ずしもＪＩＳの規格に沿う必要はなく、必要に応じて、ＪＩＳ規格と異なる形状のものであってもよい。スイッチボックス１００の内部は、センサユニット３０（不図示）が収容できる形状となっている。
【００２６】
（フレーム部）
次に、フレーム部２０について説明する。
図４はフレーム部２０を示す斜視図である。図５はフレーム部２０を拡大して示す斜視図である。図６はフレーム部２０の一部を分解して示す斜視図である。
【００２７】
図４及び図５に示すように、フレーム部２０は、スイッチボックス１００に固定される第１枠片２１及び第２枠片２２と、第１枠片２１及び第２枠片２２とを連結する連結片２３と、を有し、全体が略コ字状である。
【００２８】
第１枠片２１及び第２枠片２２は、それぞれ、連結片２３に篏合固定される篏合固定部２１ｐ、２２ｐと、スイッチボックス１００に固定するための孔であるスイッチボックス固定部２１ｈ、２２ｈと、を有する。
第１枠片２１及び第２枠片２２の裏側面がそれぞれスイッチボックス１００の固定部１００ｆに当接する。
第１枠片２１及び第２枠片２２は、互いに向かい合う端部が、それぞれ、裏側に向けて延設されている。これにより、曲げ剛性が確保されている。
第１枠片２１及び第２枠片２２は、例えば、金属製の所定の板厚の平坦な板材を所定の形状で打ち抜き、所定の位置に孔を空けて、折り曲げて形成される。折り曲げて形成することで、歩留まりが良く、材料コストを低減でき、剛性を増すことができる。
【００２９】
第１枠片２１の篏合固定部２１ｐは、第１枠片２１の中央から偏った位置に１対ずつ対称に設けられている。一方の１対の篏合固定部２１ｐは、連結片２３の篏合固定部２３ｑに篏合固定される。具体的には、第１枠片２１の篏合固定部２１ｐは、裏側に突出した突起状となっており、連結片２３の篏合固定部２３ｑは、篏合固定部２１ｐが篏合する形状の孔又は窪みとなっている。これにより、ネジを使用することなく、フレーム部２０を一体にできる。
【００３０】
第２枠片２２の篏合固定部２２ｐは、第１枠片２１の篏合固定部２１ｐと同様に、第２枠片２２の中央から偏った位置に１対ずつ対称に設けられている。１対の篏合固定部２２ｐは、連結片２３の篏合固定部２３ｑに篏合固定される。
【００３１】
なお、他方の１対の篏合固定部２１ｐは、連結片２３を第１枠片２１に取り付ける際にいずれの側に取り付けるかを選択できるようにするために設けられており、一方の１対の篏合固定部２１ｐに連結片２３を取り付けた場合は、他方の１対の篏合固定部２１ｐは使用しなくてもよい。一方の１対の篏合固定部２１ｐ及び他方の１対の篏合固定部２１ｐの両方に連結片２３を設けて、フレーム部２０の全体を矩形状としてもよい。他方の１対の篏合固定部２２ｐについても同様である。一方の一対の篏合固定部２１ｐ、２２ｐに対してのみ連結片２３を取り付けて全体を略コ字状とすると、ガタついたりぐらついたりしないための必要な剛性を確保できると同時に、軽量でコンパクトになり、材料を軽減できる。
【００３２】
このように、篏合固定部２１ｐ及び篏合固定部２２ｐは、第１枠片２１及び第２枠片２２の中央から偏った位置に１対設けられているので、連結片２３に対して第１枠片２１及び第２枠片２２を篏合固定した後にガタついたりぐらついたりすることなく、安定して位置決めできる。
【００３３】
第１枠片２１及び第２枠片２２は、それぞれ、スイッチボックス１００の２ヵ所ある固定部１００ｆに取り付けるための孔であるスイッチボックス固定部２１ｈ及びスイッチボックス固定部２２ｈを有する。
フレーム部２０は、第１枠片２１と第２枠片２２と連結片２３とが互いに篏合し、一体となった状態で、第１枠片２１のスイッチボックス固定部２１ｈ及び第２枠片２２のスイッチボックス固定部２２ｈを貫通するボルト１００ｂ等によって、スイッチボックス１００の２ヵ所ある固定部１００ｆに取り付けられる。
【００３４】
また、図５に示すように、第１枠片２１及び第２枠片２２は、センサユニット３０を係留する係留部２１Ａ及び係留部２２Ａを有する。第１枠片２１は、両端部にそれぞれ係留部２１Ａを有し、同様に、第２枠片２２は、両端部にそれぞれ係留部２２Ａを有する。
係留部２１Ａ及び係留部２２Ａは、センサユニット３０（不図示）の四隅に設けられた位置決めネジ挿通孔３１Ｔｈ、３１Ｂｈの配置に対応する位置関係で設けられる。具体的には、係留部２１Ａ、２２Ａは、位置決めネジ２１ｂ、２２ｂと、第１枠片２１及び第２枠片２２に設けられ、位置決めネジ２１ｂ、２２ｂが螺合される位置決めネジ孔２１ｓ、２２ｓと、を備える。
【００３５】
連結片２３は、図６に示すように、長板状の連結片本体２３ｍの両端部から本体の長手方向に直交するように延在する連結アーム２３ａを備え、全体が略コ字状となっている。
連結片２３は、例えば、金属製の所定の板厚の平坦な板材を所定の形状で切り抜き又は打ち抜き、所定の位置に孔を空けて、連結アーム２３ａと連結片本体２３ｍとの境界を折り曲げるようにして形成される。折り曲げて形成することで、歩留まりが良く、材料コストを低減でき、剛性を増すことができる。連結片２３の全体を略コ字状とすることで、矩形状に切り抜き又は打ち抜きされた板材から、第１枠片２１、第２枠片２２及び連結片２３の組を形成できるので、歩留まりが良い。
連結アーム２３ａは、平板状であり、第１枠片２１又は第２枠片２２の篏合固定部２１ｐ又は篏合固定部２２ｐと篏合する篏合固定部２３ｑと、位置決めネジ２１ｂ又は位置決めネジ２２ｂと干渉しないように設けられた逃げ孔２３Ｈと、を有する。
篏合固定部２３ｑは、一方の連結アーム２３ａと他方の連結アーム２３ａにそれぞれ設けられる。
【００３６】
上記のように、フレーム部２０は、スイッチボックス１００に固定されるとともに、センサユニット３０を取り付けるための係留部２１Ａ、２２Ａを備える。よって、スイッチボックス１００の固定部の数や配置とセンサユニット３０の固定部の数や配置が異なっていても、フレーム部２０を介して、既存のスイッチボックス１００にセンサユニット３０を取り付けることができる。
【００３７】
（センサユニット）
次に、センサユニット３０について説明する。
図７はセンサユニット３０を表側から見た斜視図である、図８（ａ）はセンサユニット３０を裏側から見た斜視図であり、図８（ｂ）はセンサユニット３０に付勢部３４を装着する状況の説明図である。図９はセンサユニット３０を分解して示す斜視図である。
図８（ａ）及び図８（ｂ）に示すように、センサユニット３０は、センサユニット本体と、センサユニット本体の裏側に固定される付勢部３４と、を有する。
また、図９に示すように、センサユニット３０は、センサケース３１と、センサケース３１内に収容される制御モジュール３２と、センサケース３１内に収容される電源モジュール３３と、を備える。
【００３８】
センサケース３１は、図示しない開口部２の第１開口２ａ内に収まるように配置され、表側に設けられたトップケース３１Ｔと、トップケース３１Ｔに係合されるボトムケース３１Ｂとを備える。トップケース３１Ｔとボトムケース３１Ｂとの内部には、収容空間が形成される。
【００３９】
トップケース３１Ｔは、全体が略矩形のフレーム状である。また、トップケース３１Ｔには、中央に、後述する表示部３２ｄを露出するための矩形状の第３開口３１Ｔｄが設けられ、周縁部に、後述する発光素子からの光を通すための窓部３１Ｔｓ及び受光素子への光を通すための窓部３１Ｔｒが設けられる。トップケース３１Ｔは、例えば樹脂の射出成形により製造できる。
【００４０】
トップケース３１Ｔは、四隅に、位置決めネジ２１ｂ、２２ｂが挿通される位置決めネジ挿通孔３１Ｔｈが設けられる。また、トップケース３１Ｔは、外周縁に、ボトムケース３１Ｂの被係合部３１Ｂｆに対して係合する複数の係合部３１Ｔｆを有する。
さらに、トップケース３１Ｔは、周縁に、外側に向けて突出し、後述のカバー１０を構成するカバーブラケット１３に設けられた係止爪１３ｊ（図１３、図２５参照）が係止される複数の係止突起３１Ｔｊを備える。
【００４１】
ボトムケース３１Ｂは、外形がトップケース３１Ｔと略同形状となる第４開口３１Ｂｄを有し、内部に、センサユニット３０が備える後述する各部品を収容する空間を有する容器状のものである。
ボトムケース３１Ｂは、例えば、金属製の板材を折り曲げることによって形成される。このように、ボトムケース３１Ｂは金属製であるので、衝撃等の荷重や、電気ノイズ及び落雷等の影響から内部を保護できる。また、ボトムケース３１Ｂは板材を折り曲げることによって形成されるので、センサユニット３０全体を薄く、軽量なものとすることができる。
また、ボトムケース３１Ｂは、四隅に、位置決めネジ２１ｂ、２２ｂが挿通される位置決めネジ挿通孔３１Ｂｈが設けられる。また、ボトムケース３１Ｂは、外周縁に、トップケース３１Ｔの係合部３１Ｔｆに対して係合する複数の被係合部３１Ｂｆを有する。
【００４２】
制御モジュール３２は、導光板３２Ｕと、基板スペーサと、センサ基板３２Ｄとを備え、表側からこの順番で、層状に重なって配置される。
導光板３２Ｕは、中央に表示部３２ｄを有する薄板状のものであり、例えば、アクリル板の表面に対して端面より入れた光を均一に面発光する。
【００４３】
基板スペーサ（不図示）は、例えば、表側に配置される導光板３２Ｕと裏側に配置されるセンサ基板３２Ｄとの間に空隙を設けるための薄板状のものであり、周縁の表側に配置された両面テープにより、導光板３２Ｕの裏側に貼り付けられる。
【００４４】
センサ基板３２Ｄは、ユーザがスイッチ操作を行った際に操作を検出する検出部となる部分であって、表側面のほぼ全面が静電容量センサ３２ｐ（図１０（ａ）参照）となっており、周縁部に、スピーカ３２ｓと無線装置３２ｒと人感センサ３２ｍとが配置され、静電容量センサ３２ｐ、スピーカ３２ｓ、無線装置３２ｒ及び人感センサ３２ｍと接続される制御回路（不図示）を備えている。人感センサ３２ｍは、例えば、発光素子３２ｍｓから発せられた光の反射光を受光素子３２ｍｒで受光するものとする。
【００４５】
静電容量センサ３２ｐについて詳細に説明する。
図１０（ａ）及び図１０（ｂ）は、静電容量センサ３２ｐの電気力線の変化を示す説明図である。
図１０（ａ）に示すように、静電容量センサ３２ｐは、スイッチ操作のためにユーザが指Ｆを近付ける部分である検出面となる表側３２ａに、ドライブライン６１及びセンターライン６２が設けられ、静電容量センサ３２ｐの裏側３２ｂにグランド６３が設けられる。
【００４６】
そして、図１０（ａ）では、電界の様子を電気力線として矢印で示しているが、ドライブライン６１とセンターライン６２及びグランド６３との間には電界が生じる。
【００４７】
この状態のところに、図１０（ｂ）に示すように、ユーザの指Ｆが近付くと電気力線が指Ｆ側に引っ張られ、センターライン６２への電気力線の本数が減少する。
この電気力線の減少、つまり、静電容量の変化を検知することで、スイッチの操作が行われたか否かを検出する。
【００４８】
なお、静電容量センサ３２ｐを、その他の一般的な他の構成からなる静電容量式のセンサで構成してもよいが、本実施形態のように、電気力線の変化を検知する構成の場合、センサの表面から指Ｆが離れていても、指Ｆが近付くだけで、非接触で検知できるため、例えば、図１に示したカバー１０等を設けても、スイッチ操作を良好に検知できる。このため、静電容量センサ３２ｐは、電気力線の変化を検知するタイプの静電容量式のセンサで構成されることが好ましい。
【００４９】
図９に戻り、電源モジュール３３について説明する。電源モジュール３３は、例えば、電源回路を含む薄板状の第１電源基板３３Ｕと、裏側にコンデンサ等のディスクリート部品（不図示）を実装し、第１電源基板３３Ｕと離間して配置される第２電源基板３３Ｍと、第２電源基板３３Ｍを包み込むように配置される絶縁シート３３Ｄと、を備える。
電源（不図示）は、導光板３２Ｕやセンサ基板３２Ｄを駆動する動力を供給するものであって、第２電源基板３３Ｍの裏側に配置されてよく、センサケース３１の外に配置されてもよい。第２電源基板３３Ｍを、絶縁シート３３Ｄの内部空間に収容することで、センサユニット３０の狭隘な内部空間に電源モジュール３３を配置しても、第２電源基板３３Ｍとボトムケース３１Ｂとの絶縁距離を確保できると同時に、センサユニット３０の全体の寸法を小さくできる。なお、絶縁シート３３Ｄは、第２電源基板３３Ｍのみならず、第１電源基板３３Ｕ及び第２電源基板３３Ｍの両方を包み込むように配置されてもよい。
絶縁シート３３Ｄは、第２電源基板３３Ｍを収容する前は、図９に示すように、表側面が開いた状態となり、第２電源基板３３Ｍを収容した後は、表側面が閉じた状態となって、表側面と裏側面と４つの側面とを有する箱状となる。
【００５０】
図８に戻り、付勢部３４について説明する。
図８に示すように、ボトムケース３１Ｂの裏側には、付勢部３４が２ヵ所設けられる。
付勢部３４は、ボトムケース３１Ｂに固定される固定部３４ｇと、固定部３４ｇの両端に設けられた弾性部３４ｅを備える板バネである。
【００５１】
付勢部３４には、一対の係止爪３４ｃと一対の位置決め用の篏合穴３４ｑが設けられている。
ボトムケース３１Ｂの裏側には、付勢部３４の係止爪３４ｃに対応する位置に係合部３１Ｂｃが設けられ、付勢部３４の篏合穴３４ｑに対応する位置に篏合突起３１Ｂｐが設けられる。
【００５２】
図８（ｂ）において矢印で示すように、付勢部３４の係止爪３４ｃをボトムケース３１Ｂの係合部３１Ｂｃに挿入して引っ掛けると同時に、篏合穴３４ｑに篏合突起３１Ｂｐを嵌め込む。これにより、ボトムケース３１Ｂに対して付勢部３４を、ネジ等を使用しなくても、ガタつくことなく、脱落することなく、取り付けることができ、両者を一体化できる。
【００５３】
付勢部３４は、全体が弾性変形するので、フレーム部２０に設けられた係留部２１Ａ、２２Ａによってフレーム部２０からセンサユニット３０までの距離（位置関係）が調節されて変わっても、常に、センサユニット３０を裏側から表側に向く方向に付勢する。
【００５４】
以上のように、センサユニット３０は、センサケース３１の内部に、制御モジュール３２及び電源モジュール３３が内蔵され、ボトムケース３１Ｂの裏側に付勢部３４が装着された状態で一体化されて、サブアセンブリとなる。
【００５５】
ここで、係留部２１Ａ、２２Ａとセンサユニット３０との関係を説明する。
センサユニット３０には、裏側に、付勢部３４が設けられている。また、センサユニット３０には、位置決めネジ２１ｂ、２２ｂ（図４参照）を通す位置決めネジ挿通孔３１Ｔｈ、３１Ｂｈが位置決めネジ孔２１ｓ、２２ｓに対応する位置に設けられている。
一方、先述のとおり、フレーム部２０の係留部２１Ａ、２２Ａは、位置決めネジ２１ｂ、２２ｂと位置決めネジ孔２１ｓ、２２ｓとを備えている（図５参照）。
そして、位置決めネジ２１ｂ、２２ｂをセンサユニット３０の位置決めネジ挿通孔３１Ｔｈ、３１Ｂｈに通した状態で、右に回転させながら位置決めネジ孔２１ｓ、２２ｓに螺合させると、螺合することによる締付力が付勢部３４の反力に打ち克って、付勢部３４が弾性変形していくと同時に、フレーム部２０とセンサユニット３０との距離が狭くなる。反対に、左に回転させながら位置決めネジ孔２１ｓ、２２ｓに螺合させると、螺合することによる締付力が付勢部３４の反力より弱まり、付勢部３４の弾性変形が戻っていくと同時に、フレーム部２０とセンサユニット３０との距離が遠くなる。
したがって、センサユニット３０の最も表側の面が前面板Ｗの表側Ｗ１と面一になるように、位置決めネジ２１ｂ、２２ｂの位置決めネジ孔２１ｓ、２２ｓに対する螺合量で調節できる。
【００５６】
（係合部及び被係合部）
次に、主に図７、図８、図１１及び図１２を参照しながら、係合部３１Ｔｆ及び被係合部３１Ｂｆについて、更に詳細に説明する。
図１１（ａ）は、図７におけるＦ矢視詳細図である。図１１（ｂ）は、図１１（ａ）におけるＡ矢視断面図である。図１１（ｃ）は、図１１（ａ）におけるＢ矢視断面図である。
図１２（ａ）は、図７におけるＧ矢視詳細図である。図１２（ｂ）は、図１２（ａ）におけるＣ矢視断面図である。図１２（ｃ）は、図１２（ａ）におけるＤ矢視断面図である。
【００５７】
図７及び図８に示すように、トップケース３１Ｔは、外周縁に、ボトムケース３１Ｂの被係合部３１Ｂｆに対して係合する６ヵ所の係合部３１Ｔｆを有する。また、ボトムケース３１Ｂは、外周縁に、トップケース３１Ｔの係合部３１Ｔｆに対して係合する６ヵ所の被係合部３１Ｂｆを有する。
【００５８】
係合部３１Ｔｆは、トップケース３１Ｔの一方の長辺部に設けられたボス部Ｍ（図７参照）と、トップケース３１Ｔの他方の長辺部に設けられた係合爪Ｎ（図８参照）とを有する。
ボス部Ｍは、図１１（ｂ）に示すように、トップケース３１Ｔの外周縁から裏側の方向に延在し、内外に揺動するように弾性変形するものであり、裏側端部に、内側から外側に向けて突出するボス突出部を有する。ボス突出部は、端部に面取りがなされており、ボトムケース３１Ｂの第１段部Ｖに係合しやすくなっている。
係合爪Ｎは、図１２（ｂ）に示すように、トップケース３１Ｔの外周縁から裏側の方向に延在し、内外に揺動するように弾性変形するものであり、裏側端部に、内側から外側に向けて突出する爪突出部を有する。爪突出部は、表側面に係合表側面Ｔｄを有し、裏側面にテーパ面ｔを有する。係合爪Ｎがテーパ面ｔを有することにより、係合爪Ｎをボトムケース３１Ｂの第２段部Ｙにスムーズに係合できる。
【００５９】
また、図１１（ａ）及び図１２（ａ）に示すように、ボス部Ｍ及び係合爪Ｎは、二つのスリットＳの間に設けられており、弾性変形しやすくなっている。
【００６０】
被係合部３１Ｂｆは、ボトムケース３１Ｂの一方であってボス部Ｍに対応する位置に設けられて、ボス部Ｍに係合される第１段部Ｖと、ボトムケース３１Ｂの他方であって係合爪Ｎに対応する位置に設けられて、係合爪Ｎに係合される第２段部Ｙと、を有する。
このように、トップケース３１Ｔの一方をボス部Ｍとし、他方を係合爪Ｎとすることにより、トップケース３１Ｔとボトムケース３１Ｂとの組み立てが容易になる。すなわち、トップケース３１Ｔとボトムケース３１Ｂとの組み立てるには、まず、ボス部Ｍを第１段部Ｖに係合し、その後、ボス部Ｍと第１段部Ｖとの係合部を中心としてボトムケース３１Ｂに向けてトップケース３１Ｔを揺動させる。そして、係合爪Ｎを弾性変形させながら、反力に抗してそのまま揺動させていくと、係合爪Ｎが第２段部Ｙに係合し、係合爪Ｎの弾性変形が元に戻る。
【００６１】
係合部３１Ｔｆと被係合部３１Ｂｆとの対は、センサケース３１の外形状における一方の長辺部に３ヵ所設けられ、他方の長辺部に３ヵ所設けられる。このように、センサケース３１の一方の長辺部に設けられた係合部３１Ｔｆと被係合部３１Ｂｆとの対を係合し、続いて、他方の長辺部に設けられた係合部３１Ｔｆと被係合部３１Ｂｆとの対を係合することで、トップケース３１Ｔとボトムケース３１Ｂとを、簡単に組み合わせることができる。
【００６２】
係合部３１Ｔｆは、トップケース３１Ｔに設けられた係合爪Ｎの表側面である係合表側面Ｔｄと、トップケース３１Ｔの外周縁の段差部に設けられた裏側面である係合裏側面Ｔｕとを含む。被係合部３１Ｂｆは、ボトムケース３１Ｂの最も表側の面に設けられた被係合表側面Ｂｕと、ボトムケース３１Ｂの外周縁の段差部に設けられた裏側面である被係合裏側面Ｂｄとを含む。
そして、係合表側面Ｔｄと係合裏側面Ｔｕとの間で、被係合表側面Ｂｕと被係合裏側面Ｂｄとの間を挟むようにして、係合部３１Ｔｆが被係合部３１Ｂｆと係合する。
係合部３１Ｔｆと被係合部３１Ｂｆとを上記のように構成することで、ボトムケース３１Ｂに対するトップケース３１Ｔの位置決めを正確に行うことができる。
【００６３】
（カバー）
次に、カバー１０について説明する。
図１３はカバー１０を示す斜視図であり、図１４はカバー１０を分解して示す斜視図である。
【００６４】
図１３及び図１４に示すように、カバー１０は、平面スイッチ１における最も表側に配置される透明なカバー本体１１と、両面テープ１４を介してカバー本体１１の裏側に配置され、図形や文字等の操作アイコン１２ｄがプリントされた被膜状の表示板１２と、表示板１２の裏側に配置され、トップケース３１Ｔ（図７参照）に設けられる係止突起３１Ｔｊに対して係止される係止爪１３ｊが設けられた枠状のカバーブラケット１３と、を備える。
【００６５】
カバー本体１１は、裏側は全面が平らになっており、表側は、中央に、裏側の全面と略相似形状であって、操作アイコン１２ｄが表示された領域と略同じ大きさの、裏側の全面と平行な中央面１１ｃを備え、中央面１１ｃからカバー本体１１の周縁の四方に向けて傾斜するテーパ面１１ｔを有し、全体が扁平な略截頭四角錐体となっている。そして、前面板Ｗの表側Ｗ１の面からカバー本体１１の表側の中央面１１ｃまでの高さ寸法は、約１ｍｍ程度で設計される。
【００６６】
このように、体裁面となる前面板Ｗの表側Ｗ１（図１参照）の面からカバー本体１１の表側の中央面１１ｃまでは、テーパ面１１ｔにより、なだらかに連なるので、カバー１０が目立つことなく、すっきりとした外観が得られる。
さらに、中央面１１ｃの大きさが、操作アイコン１２ｄが表示された領域と略同じであるので、カバー本体１１の中央面１１ｃに、表示板１２の操作アイコン１２ｄを透過させつつ際立たせて表示でき、視認しやすいとともに、美観に優れる。
【００６７】
また、カバー本体１１は、カバー本体１１の裏側に配置される表示板１２が、カバー本体１１の表側から視認できるようにするため、少なくとも中央面１１ｃの部分は透明（光透過率が高い）となっており、テーパ面１１ｔは、開口部２（図１参照）がカバー本体１１の表側から目立たないようにするため、不透明（光透過率が低い）となっている。なお、カバー本体１１の全体を透明にしてもよく、中央面１１ｃを透明にしてテーパ面１１ｔを不透明にしてもよく、カバー本体１１の周縁を外周に沿って不透明にして中央面１１ｃに近づくにつれて徐々に透明にしてもよい。
【００６８】
表示板１２は、表側に、全面に透明な両面テープ１４が貼り付けられ、その両面テープ１４の表側にカバー本体１１の裏側が貼り付けられる。
【００６９】
また、カバーブラケット１３は、表側に、周縁に沿って両面テープ１３ｔが貼り付けられ、その両面テープ１３ｔの表側に表示板１２の裏側が貼り付けられる。なお、カバーブラケット１３に設けられた係止爪１３ｊは、略Ｌ字形状となっているので、特に、平面スイッチ１を壁等の鉛直面に対して設ける場合は、係止爪１３ｊの先端を重力方向（鉛直下向き）に向けた状態でカバーブラケット１３をトップケース３１Ｔの係止突起３１Ｔｊに引っ掛けるだけで、カバー１０をセンサユニット３０に対して取り付けられる。
【００７０】
このようにして、カバー本体１１、表示板１２及びカバーブラケット１３の各層は重なった状態で一体化され、カバー１０がサブアセンブリとなる。
【００７１】
（人感センサ）
以下、制御モジュール３２に実装された人感センサ３２ｍについて詳細に説明する。
図１５は、センサユニット３０の斜視図である。図１６は、図１５におけるＡ矢視断面図である。
図１５に示すように、センサケース３１のトップケース３１Ｔは、発光素子からの光を通すための窓部３１Ｔｓ及び受光素子への光を通すための窓部３１Ｔｒを備える。
また、図１６に示すように、制御モジュール３２のセンサ基板３２Ｄは、周縁に、発光素子３２ｍｓと、発光素子３２ｍｓからの反射光を受光する受光素子３２ｍｒとが隣り合うようにして配置された人感センサ３２ｍを備える。
さらに、制御モジュール３２のセンサ基板３２Ｄは、発光素子３２ｍｓを囲むように配置され、発光素子３２ｍｓからセンサケース３１の内部を通って受光素子３２ｍｒに至る光を遮る筒状部材３２Ｐを備える。
【００７２】
センサユニット３０を上記のような構成とすることにより、図１６に示すように、発光素子３２ｍｓから発せられた光のうち、矢印βのように伝達する光（光漏れ）は、筒状部材３２Ｐによって遮られる。そして、近接する物体Ｏ（例えば、使用者の手等）に反射する矢印αのように伝達する光が、受光素子３２ｍｒで検出される。
このように、制御モジュール３２が、筒状部材３２Ｐを備えることにより、人感センサ３２ｍの誤検出が抑制できる。よって、物体Ｏの有無が正しく検出できる。
【００７３】
（第２実施形態）
以下、図面を参照して本発明を実施するための第２の形態（以下、第２実施形態）について詳細に説明する。なお、第２実施形態と第１実施形態との差異は、主に、センサケース３１の構造であり、その他は共通するため、以下では、特にセンサケース３１について説明する。
【００７４】
図１７、図１８、図１９及び図２０を参照しながら、第２実施形態における係合部３１Ｔｆ及び被係合部３１Ｂｆについて、説明する。
図１７はセンサユニット３０を表側から見た斜視図である。図１８はセンサユニット３０を裏側から見た斜視図である。
図１９（ａ）は、図１７におけるＫ矢視詳細図である。図１９（ｂ）は、図１９（ａ）におけるＡ矢視断面図である。図１９（ｃ）は、図１９（ａ）におけるＢ矢視断面図である。
図２０（ａ）は、図１７におけるＬ矢視詳細図である。図２０（ｂ）は、図２０（ａ）におけるＣ矢視断面図である。図２０（ｃ）は、図２０（ａ）におけるＤ矢視断面図である。
【００７５】
図１７及び図１８に示すように、金属製であるボトムケース３１Ｂの表側周縁は、開口部２（不図示）とトップケース３１Ｔとの間に介在し、トップケース３１Ｔの外周縁を覆っている。これにより、ボトムケース３１Ｂは、衝撃等の荷重や、電気ノイズ及び落雷等の影響から内部を保護できる。また、万が一、トップケース３１Ｔが燃焼しても、トップケース３１Ｔの外周縁を覆うボトムケース３１Ｂが、開口部２に対する延焼を抑制するので、安全である。
【００７６】
トップケース３１Ｔは、外周縁に、ボトムケース３１Ｂの被係合部３１Ｂｆに対して係合する６ヵ所の係合部３１Ｔｆを有する。また、ボトムケース３１Ｂは、外周縁に、トップケース３１Ｔの係合部３１Ｔｆに対して係合する６ヵ所の被係合部３１Ｂｆを有する。
【００７７】
係合部３１Ｔｆは、トップケース３１Ｔの一方の長辺部に設けられたボス部Ｍ（図１７参照）と、トップケース３１Ｔの他方の長辺部に設けられた係合爪Ｎ（図１８参照）とを有する。
ボス部Ｍは、図１９（ｂ）に示すように、トップケース３１Ｔの外周縁から裏側の方向に延在し、内外に揺動するように弾性変形するものであり、裏側端部に、内側から外側に向けて突出するボス突出部を有する。ボス突出部は、端部に面取りがなされており、第１段部Ｖに係合しやすくなっている。
係合爪Ｎは、図２０（ｂ）に示すように、トップケース３１Ｔの外周縁から裏側の方向に延在し、内外に揺動するように弾性変形するものであり、裏側端部に、内側から外側に向けて突出する爪突出部を有する。爪突出部は、表側面に係合表側面Ｔｄを有し、裏側面にテーパ面ｔを有する。係合爪Ｎがテーパ面ｔを有することにより、係合爪Ｎを第２段部Ｙにスムーズに係合できる。
【００７８】
また、図１９（ａ）及び図２０（ａ）に示すように、ボス部Ｍ及び係合爪Ｎは、二つのスリットＳの間に設けられており、弾性変形しやすくなっている。
【００７９】
被係合部３１Ｂｆは、ボトムケース３１Ｂの一方であってボス部Ｍに対応する位置に設けられて、ボス部Ｍに係合される第１段部Ｖと、ボトムケース３１Ｂの他方であって係合爪Ｎに対応する位置に設けられて、係合爪Ｎに係合される第２段部Ｙと、を有する。
【００８０】
係合部３１Ｔｆと被係合部３１Ｂｆとの対は、センサケース３１の外形状における一方の長辺部に３ヵ所設けられ、他方の長辺部に３ヵ所設けられる。
【００８１】
係合部３１Ｔｆは、トップケース３１Ｔに設けられた係合爪Ｎの表側面である係合表側面Ｔｄと、トップケース３１Ｔの外周縁の段差部に設けられた裏側面である係合裏側面Ｔｕとを含む。被係合部３１Ｂｆは、ボトムケース３１Ｂの最も表側の面に設けられた被係合表側面Ｂｕと、ボトムケース３１Ｂの外周縁の段差部に設けられた裏側面である被係合裏側面Ｂｄとを含む。
そして、係合表側面Ｔｄと係合裏側面Ｔｕとの間で、被係合表側面Ｂｕと被係合裏側面Ｂｄとの間を挟むようにして、係合部３１Ｔｆが被係合部３１Ｂｆと係合する。
【００８２】
ここで、第２実施形態においては、第１実施形態と異なり、被係合表側面Ｂｕは、ボトムケース３１Ｂの最も表側の端面ｅとは別に設けられている。これにより、ボトムケース３１Ｂの表側周縁が、開口部２とトップケース３１Ｔとの間に介在し、トップケース３１Ｔの外周縁を覆っても、すなわち、ボトムケース３１Ｂの最も表側の端面ｅを利用しなくても、係合部３１Ｔｆ及び被係合部３１Ｂｆとを確保でき、センサユニット３０の厚みを最小限にできる。
【００８３】
また、  また、図１９（ａ）及び図２０（ａ）に示すように、トップケース３１Ｔの係合裏側面Ｔｕは、トップケース３１Ｔの外周縁における裏側から微小に突出した突部ｇに設けられる。係合裏側面Ｔｕが突部ｇに設けられることにより、比較的高い精度を要する係合裏側面Ｔｕを、トップケース３１Ｔにおける最も裏側面の全域に設けることなく形成できる。
【００８４】
（設置手順）
以下、前面板Ｗに平面スイッチ１を設置する手順を例に取り、図２１から図２６を参照しながら説明する。
図２１は、スイッチボックスを設置する説明図である。図２２は、フレーム部を設置する説明図である。図２３は、センサユニットを設置する説明図である。図２４は、センサユニットを位置調節する説明図である。図２５は、カバーを設置する説明図である。図２６は、平面スイッチが設置された前面板の斜視図である。
【００８５】
（１）図２１に示すように、例えば、建物の壁のリフォームの場合は、前面板Ｗに、既に開口部２が設けられており、前面板Ｗの裏側Ｗ２には、スイッチボックス１００が設けられている。開口部２又はスイッチボックス１００が設けられていない場所に平面スイッチ１を新設する場合は、前面板Ｗに、センサユニット３０（不図示）が収まる形状の開口部２を設け、前面板Ｗの裏側Ｗ２に、スイッチボックス１００を設置する。
【００８６】
（２）次に、図２２に示すように、フレーム部２０の第１枠片２１と第２枠片２２と連結片２３とを互いに篏合し、一体化してサブアセンブリとする。そして、そのサブアセンブリを、第１枠片２１のスイッチボックス固定部２１ｈ及び第２枠片２２のスイッチボックス固定部２２ｈを貫通するボルト１００ｂによって、スイッチボックス１００の２ヵ所ある固定部１００ｆに取り付ける。
【００８７】
（３）図２３に示すように、裏側に付勢部３４（不図示）があらかじめ設けられたセンサユニット３０を開口部２に挿入し、センサユニット３０の付勢部３４を、フレーム部２０の表側に当接させる。
【００８８】
（４）ここで、図２４に示すように、位置決めネジ２１ｂ、２２ｂを、センサユニット３０におけるセンサケース３１に設けられた位置決めネジ挿通孔３１Ｔｈ及び位置決めネジ挿通孔３１Ｂｈ（図７から図９参照）に挿入し、位置決めネジ孔２１ｓ、２２ｓ（図４参照）に螺合する。
【００８９】
（５）そして、位置決めネジ孔２１ｓ、２２ｓに対する位置決めネジ２１ｂ、２２ｂの螺合量を調節することで、センサユニット３０を構成するトップケース３１Ｔの最も表側の面を、前面板Ｗの体裁面である表側Ｗ１の面と面一になるように、センサユニット３０の位置を調節できる。
例えば、位置決めネジ孔２１ｓ、２２ｓに対して位置決めネジ２１ｂ、２２ｂを右に回転させて螺合すると、位置決めネジ２１ｂ、２２ｂの頭部と位置決めネジ孔２１ｓ、２２ｓが設けられたフレーム部２０との距離が短くなり、それに伴い、位置決めネジ２１ｂ、２２ｂの頭部が、付勢部３４の付勢力に抗して、センサユニット３０を表側から裏側に向けて押すので、前面板Ｗに対するセンサユニット３０の位置が移動する。
また、位置決めネジ孔２１ｓ、２２ｓに対して位置決めネジ２１ｂ、２２ｂを左に回転させて螺合すると、位置決めネジ２１ｂ、２２ｂの頭部と位置決めネジ孔２１ｓ、２２ｓが設けられたフレーム部２０との距離が長くなり、それに伴い、付勢部３４が、センサユニット３０を裏側から表側に向けて押して移動させる。
【００９０】
（６）最後に、図２５に示すように、一体化されたカバー１０を設置する。
具体的には、一体化されたカバー１０の係止爪１３ｊを、係止突起３１Ｔｊ（不図示）の近傍の挿入口Ｊに挿入する。続いて、係止突起３１Ｔｊの上から係止爪１３ｊを押し込むと、係止突起３１Ｔｊが三角柱形状である（図７等参照）ので、係止爪１３ｊが係止突起３１Ｔｊの斜面に沿って外側に撓み、斜面の端部で撓みが戻り、パチッと係止できる。このようにして、係止爪１３ｊと係止突起３１Ｔｊとが、表側から裏側をみたときに重なった状態で係止する。
カバー１０を外すときは、カバー１０を前面板Ｗの表側Ｗ１の面に対して略平行にスライドさせて、係止爪１３ｊと係止突起３１Ｔｊとが、表側から裏側をみたときに重ならない状態にする。そして、カバー１０を前面板Ｗの表側Ｗ１の面に対して垂直に移動させ、挿入口Ｊから離脱させる。
なお、カバー１０の係止爪１３ｊを、挿入口Ｊに挿入し、その後、カバー１０を前面板Ｗの表側Ｗ１の面に対して略平行にスライドさせて、係止爪１３ｊと係止突起３１Ｔｊとが、表側から裏側をみたときに重なるようにして、係止してもよい。この際、前面板Ｗの表側Ｗ１の面が鉛直な壁面である場合は、Ｌ字状の係止爪１３ｊの先端が鉛直下向きになるようにすると、カバー１０の自重が係止爪１３ｊを介して係止突起３１Ｔｊにかけられる。
【００９１】
図２６は、平面スイッチ１が設置された前面板Ｗの斜視図である。
このようにして、前面板Ｗに対して、平面スイッチ１を簡単に設置できる。
【００９２】
また、平面スイッチ１は、図２６に示すように、体裁面である前面板Ｗの表側Ｗ１の表面から、カバー１０の厚み分（例えば約１ｍｍ程度）だけしか突出しないので、すっきりとした外観となって見栄えがよく、ユーザの身体や他の物体と衝突しにくいので安全である。
さらに、操作アイコン１２ｄが表側Ｗ１の表面とほぼ面一になるので、前面板Ｗの表側Ｗ１の表面と一体となっているような印象を与えることができ、美観に優れる。
【００９３】
以上、本発明の好ましい実施形態について詳述したが、本発明に係る平面スイッチは上述した実施形態に限定されるものではなく、特許請求の範囲に記載された本発明の要旨の範囲内において、種々の変形、変化が可能である。
【００９４】
例えば、上記では、平面スイッチ１がカバー１０を備える場合について示したが、これに限らず、開口部２をカバー１０で覆う代わりに、より厚みの小さい壁紙等のフィルムで開口部２を覆うようにしてもよい。
この場合、平面スイッチ１の部分だけ透明にした壁紙等を前面板Ｗの表側Ｗ１の面に貼り、センサユニット３０の光源やセンサユニット３０に設けられた操作アイコン１２ｄを印刷したハーフミラーのシートやプレートが透過できるようにする。
このようにすることで、夜間等の平面スイッチ１の周囲が暗い時にセンサユニット３０に設けられた光源を点灯させると、操作アイコン１２ｄが浮かび上がるような演出ができ、斬新なスイッチを構成できる。
【００９５】
本発明によれば、前面板に設けられた開口部に設置される平面スイッチであって、開口部に取り付けられ、開口部の第１開口と略同形状の第２開口を有するスイッチボックスと、スイッチボックスに取り付けられるフレーム部と、フレーム部に取り付けられるとともにスイッチボックスに収容されるセンサユニットと、を備え、フレーム部は、全体が略コ字状であるので、スイッチボックスの固定部の数や配置とセンサユニットの固定部の数や配置が異なっていても、フレーム部を介して、既存のスイッチボックスにセンサユニットを取り付けることができる。そして、フレーム部が前面板の裏側に配置されるので、前面板の表側の面に対して平面スイッチの表側の面を面一にでき、美観に優れる。
【００９６】
本発明によれば、フレーム部は、スイッチボックスに固定される第１枠片及び第２枠片と、第１枠片と前記第２枠片とを連結する連結片と、を有し、第１枠片及び第２枠片は、連結片に篏合固定される篏合固定部と、スイッチボックスに固定するためのスイッチボックス固定部と、を有するので、矩形状に切り抜き又は打ち抜きされた板材から、第１枠片、第２枠片及び連結片の組を形成でき、歩留まりが良いことに加え、ネジを使わずにフレーム部を一体にできる。
【００９７】
本発明によれば、センサユニットは、センサユニット本体と、センサユニット本体の裏側に固定される付勢部と、を有し、第１枠片及び第２枠片は、開口部に対するセンサユニットの位置を調節自在に、センサユニットを付勢部の付勢力に抗して係留する係留部と、を有するので、前面板に既に設けられたスイッチボックスを基準にして、前面板の厚みの違いに影響を受けることなく、前面板の表側の表面に対する平面スイッチ本体の位置を決めることができ、前面板の表側の面に対して平面スイッチの表側の面を面一にできる。
【００９８】
本発明によれば、付勢部は、センサユニット本体に固定される固定部と、固定部の両端に設けられた弾性部と、を備える板バネであるので、一つの板バネから、一つの固定部と二つの弾性部を形成でき、付勢部を簡単な構造にして、平面スイッチの厚みを抑えることができ、平面スイッチを狭隘な壁にも設置できる。
【００９９】
本発明によれば、係留部は、位置決めネジと、第１枠片及び第２枠片に設けられ、位置決めネジが螺合される位置決めネジ孔と、を備え、センサユニットには、前記位置決めネジを通す位置決めネジ挿通孔が位置決めネジ孔に対応する位置に設けられており、センサユニットの開口部に対する位置が、位置決めネジの位置決めネジ孔に対する螺合量で調節されるので、前面板に既に設けられたスイッチボックスを基準にして、前面板の厚みの違いに影響を受けることなく、前面板の表側の表面に対する平面スイッチ本体の位置を決めることができ、前面板の表側の面に対して平面スイッチの表側の面を面一にできる。
【０１００】
本発明によれば、センサユニットは、センサケースと、センサケース内に収容される表示板と、センサケース内に収容され、静電容量センサが設けられた制御モジュールと、を備え、センサケースは、表側に設けられたトップケースと、トップケースの裏側に係合するボトムケースと、を有するので、センサユニットをサブアセンブリとでき、平面スイッチを組み立てやすい。
【０１０１】
本発明によれば、トップケースは、ボトムケースと係合する係合部を有し、ボトムケースは、係合部が係合する被係合部を有するので、センサケース内に各部品を収容した状態でセンサケースを組み立てやすい。
【０１０２】
本発明によれば、係合部は、トップケースの一方に設けられたボス部と、トップケースの他方に設けられた係合爪とを有し、被係合部は、ボトムケースの一方であってボス部に対応する位置に設けられて、ボス部に係合される第１段部と、ボトムケースの他方であって係合爪に対応する位置に設けられて、係合爪に係合される第２段部と、を有するので、トップケースとボトムケースとの組み立てが容易になる。すなわち、ボス部を第１段部に係合し、その後、ボス部と第１段部との係合部を中心としてボトムケースに対してトップケースを揺動させ、係合爪を弾性変形させながら、反力に抗してそのまま揺動させていくと、係合爪の弾性変形が元に戻り、係合爪が第２段部に係合するので、トップケースとボトムケースとの係合が簡単である。
【０１０３】
本発明によれば、係合部は、係合表側面と係合裏側面とを含み、被係合部は、被係合表側面と被係合裏側面とを含み、係合表側面と係合裏側面との間で、被係合表側面と被係合裏側面との間を挟むようにして、係合部が被係合部と係合するので、トップケースの係合部がボトムケースの被係合部の一部を確実に挟持でき、確実に係合できるとともに、トップケースとボトムケースとの間の位置決めを正確にできる。
【０１０４】
本発明によれば、被係合表側面は、前記ボトムケースの最も表側の端面とは別に設けられるので、ボトムケースの表側周縁を開口部とトップケースとの間に介在させ、トップケースの外周縁を覆っても、ボトムケースの最も表側の端面を利用せずに、係合部及び被係合部とを確保でき、センサユニットの厚みを最小限にできる。
【０１０５】
本発明によれば、ボトムケースの表側周縁は、開口部とトップケースとの間に介在し、トップケースの外周縁を覆うので、衝撃等の荷重や、電気ノイズ及び落雷等の影響から内部を保護できる。また、万が一、トップケースが燃焼しても、トップケースの外周縁を覆うボトムケースが、開口部に対する延焼を抑制するので、安全である。
【０１０６】
本発明によれば、制御モジュールは、発光素子と、発光素子からの反射光を受光する受光素子と、発光素子を囲むように配置され、発光素子から平面スイッチの内部を通って受光素子に至る光を遮る筒状部材と、を備えるので、発光素子から発せられた光は、近接する物体に反射する光のみが、受光素子で検出されるようになり、人感センサの誤検出が抑制され、物体の有無を正しく検出できる。
【符号の説明】
【０１０７】
２０  フレーム部
２１  第１枠片
２１ｂ  位置決めネジ
２１ｈ  スイッチボックス固定部
２１ｓ  位置決めネジ孔
２２  第２枠片
２２ｂ  位置決めネジ
２２ｈ  スイッチボックス固定部
２２ｓ  位置決めネジ孔
２３  連結片
１００  スイッチボックス
１００ｂ  ボルト
１００ｆ  固定部
Ｗ  前面板
【図１】
2018060661.tif 000003
【図２】
2018060661.tif 000004
【図３】
2018060661.tif 000005
【図４】
2018060661.tif 000006
【図５】
2018060661.tif 000007
【図６】
2018060661.tif 000008
【図７】
2018060661.tif 000009
【図８】
2018060661.tif 000010
【図９】
2018060661.tif 000011
【図１０】
2018060661.tif 000012
【図１１】
2018060661.tif 000013
【図１２】
2018060661.tif 000014
【図１３】
2018060661.tif 000015
【図１４】
2018060661.tif 000016
【図１５】
2018060661.tif 000017
【図１６】
2018060661.tif 000018
【図１７】
2018060661.tif 000019
【図１８】
2018060661.tif 000020
【図１９】
2018060661.tif 000021
【図２０】
2018060661.tif 000022
【図２１】
2018060661.tif 000023
【図２２】
2018060661.tif 000024
【図２３】
2018060661.tif 000025
【図２４】
2018060661.tif 000026
【図２５】
2018060661.tif 000027
【図２６】
2018060661.tif 000028